(57)【要約】【課題】夜間の塾帰りの子供や、夜間に歩行中の女性等の護身用に使用できる警報器に関し、警報を作動させるために引き抜く挿脱部材が無くならないようにして、意図せず鳴り出したときには直ちに停止させることができる警報器の提供。【解決手段】本発明の警報器においては、音響を発生させるスイッチ手段は、オンオフ接点を備えた接点部と、接点部に差し込むことによって接点部をオフとし、接点部から引き抜くことによって接点部をオンとする挿脱部材とから構成され、挿脱部材の一部と筐体の一部とを可撓性の連結部材９によって連結したことを特徴としている。【選択図】図１
2008226130.tif 000002
【特許請求の範囲】
【請求項１】
駆動電源と音響発生手段と音響を発生させるスイッチ手段とを備えた警報器であって、
前記駆動電源と音響発生手段とは筐体に内蔵され、
前記スイッチ手段は、オンオフ接点を備えた接点部と、前記接点部に差し込むことによって前記接点部をオフとし、前記接点部から引き抜くことによって前記接点部をオンとする挿脱部材とから構成され、
前記挿脱部材の一部と前記筐体の一部とを可撓性の連結部材によって連結したことを特徴とする警報器。
【請求項２】
前記筐体には当該警報器を吊り下げるためのストラップが装着され、
前記連結部材はチェーンとしたことを特徴とする請求項１に記載の警報器。
【請求項３】
前記音響発生手段は、直径が20mm以上30mm以内のディスク状のセラミック発音体を備えていることを特徴とする請求項１または２の何れか１項に記載の警報器。
【請求項４】
前記ストラップは、開閉可能なループ状のベルトとしたことを特徴とする請求項２または３の何れか１項に記載の警報器。
【発明の詳細な説明】
【技術分野】
【０００１】
本発明は、暴漢に襲われたり事故に合ったり等して緊急事態が発生したときに、大音響を発して危険を知らせて救助を求めるために使用される警報器に関するものである。
【背景技術】
【０００２】
従来より、夜間の塾帰りの子供や、夜間に歩行中の女性等の護身用に警報器を携行使用することがある。
このような警報器は、電池等の駆動電源と、セラミック振動子等を駆動する音響発生手段と、引抜き式のスイッチ手段とを備えており、小型の筐体に配設されている。
そして、携行使用者は、上記構成の警報器をポケットやバッグ等に携行し、緊急自体には、前記スイッチ手段の挿脱部材を本体から引き抜くことで、大音響を発生させ、暴漢を退散させたり緊急事態の発生を周囲に知らせて救助を求めたりする。
また、前記警報器の筐体をカバンや腕などに吊り下げるためのストラップを備えている。
【発明の開示】
【発明が解決しようとする課題】
【０００３】
従来の前記警報器のスイッチ部材を構成する挿脱部材は、引き抜けば大音響が発生し、差し込めば停止するように構成されている。
緊急事態が発生したときには、差し込んで停止させるような状態は考えられないが、通常時において、意図せずに抜けてしまって大音響が鳴り渡った場合等においては、直ちに差し込んで停止させなければならないが、抜けてしまった挿脱部材が他の物の隙間に落ちてしまったりして探すのに手間取り、なかなか停止させることができない場合がある。
または、他人がいたずら等で、引き抜いて挿脱部材を隠したり持ち去ったりすることもあるので、挿脱部材が無くならないようにする必要がある。
そこで、本発明は、挿脱部材が無くならないようにして、意図せず鳴り出したときには直ちに停止させることができる警報器の提供を目的としてなされたものである。
【課題を解決するための手段】
【０００４】
本発明にかかる請求項１の警報器においては、
駆動電源と音響発生手段と音響を発生させるスイッチ手段とを備えた警報器であって、
前記駆動電源と音響発生手段とは筐体に内蔵され、
前記スイッチ手段は、オンオフ接点を備えた接点部と、前記接点部に差し込むことによって前記接点部をオフとし、前記接点部から引き抜くことによって前記接点部をオンとする挿脱部材とから構成され、
前記挿脱部材の一部と前記筐体の一部とを可撓性の連結部材によって連結したことを特徴としている。
請求項２では、前記筐体には当該警報器を吊り下げるためのストラップが装着されており、前記連結部材はチェーンとした。
請求項３では、前記音響発生手段は、直径が20mm以上30mm以内のディスク状のセラミック発音体を備えている。
請求項４では、前記ストラップは、開閉可能なループ状のベルトとした。
【発明の効果】
【０００５】
請求項１の警報器は、ストラップを備えているので、緊急事態等において操作をする必要が発生したとき、ポケットの中や、バッグの中を探さなくても直ちに、警報器を見つけて操作することができる。
また、スイッチ手段を構成する挿脱部材の一部を、筐体の一部に対して可撓性の連結部材によって連結したので、挿脱部材が無くならず、意図せず鳴り出したときには直ちに停止させることができる。紐やチェーンなどの可撓性の連結部材で連結したので邪魔にならない。
請求項２では、ストラップを設けたので携行に便利であり、チェーンで連結したので優れた外観と強度が得られる。
請求項３では、音響発生手段としては、直径が20mm以上30mm以内のディスク状のセラミック発音体を用いたので、十分大きな音量で警報を発することができる。
20mm未満の大きさでは十分な音量が得られず、30mmを超える大きさでは携帯が容易な筐体には内蔵しにくい。
請求項４では、前記ストラップは、開閉可能なループ状のベルトとしたので、前記ベルトを開いて服や、身体の一部や、カバンなどに装着することができる。
【発明を実施するための最良の形態】
【０００６】
以下に、本発明にかかる警報器を、その実施の形態を示した図面に基づいて詳細に説明する。
【０００７】
前記警報器の平面図を示した図１において、
１は警報器であり、警報器本体を構成する筐体２と、前記筐体２の取り付け部３に繋がれたストラップ４とを備えている。筐体２の裏側にはベルトなどに引っ掛けるためのフック（図示せず。）を備えている。
また、前記筐体２の表面には、前記音響発生手段を作動させる押しボタンスイッチ８４と、点灯スイッチ８６とが設けられている。
図２は、前記筐体２の内部構造を示したものであり、図２の（ａ）は前記筐体２の裏側の半分を開いた状態の内側の配置を示し、図２の（ｂ）は前記筐体２の表側の半分を開いた状態の内側の配置を示したものである。
前記筐体２の内部には、駆動電源を構成する例えば４個のボタン電池５と、音響発生手段を構成する電子回路６およびセラミック発音体７と、音響を発生させるスイッチ手段８とを備えている。なお、図５に概略の回路構成図を示した。
前記セラミック発音体７は直径が20ミリ以上30ミリ以下のセラミック振動子であり、筐体２に形成されたスリットから筐体の外部へ大音響を発する。
【０００８】
図３に示したように、
前記スイッチ手段８は、接点部８１と、該接点部８１に挿脱自在に挿入された挿脱部材８２とから構成されている。
前記接点部８１には、棒状の挿脱部材８２を差し込むための穴８１１が形成され、この穴８１１の奥には対向するバネ状の接点材８１２、８１３が配設されている。図３の（ａ）に示したように、挿脱部材８２を引き抜いている状態では、弾性によって前記接点材８１２、８１３は互いに当接してスイッチオンの状態となり、図３の（ｂ）に示したように、挿脱部材８２を差し込むと、挿脱部材８２の先端が一方の接点材８１２を弾性変形させて、当接していた他方の接点材８１３から離間させることにより、スイッチオフの状態となる。
【０００９】
挿脱部材８２の先端部には、くびれた抜け止め構造８２１が形成されているので、挿脱部材８２を差し込んだ状態では、前記接点部材８１２の凸部８１４が前記抜け止め構造８２１を係止するので、弱い力が作用しただけでは抜けない。しかし、緊急事態が発生して、強い力で前記引手８２１を引くと、前記抜け止め構造８２１と前記凸部８１４との係合状態が解除されて挿脱部材８２は接点部８１から引き抜かれて、スイッチがオンの状態となり、ボタン電池５からの電気エネルギーを電子回路６とセラミック発音体７にて音響エネルギーに変換するので、例えば120ｄＢの大音量で警報音が鳴り響くことになる。
【００１０】
図１、２に示したように、前記挿脱部材８２の後端部には引手８２１と、連結部材としての長さ約５cmのチェーン９が繋がれている
前記チェーン９の他端は、前記筐体２に形成された接続部２１にリングを介して接続されているので、引き抜いた状態の前記挿脱部材８２を紛失したり見失ったりすることを防ぐことができる。
前記チェーン９は可撓性であるので、挿脱部材８２の抜き差しに邪魔にならない。可撓性の連結部材であれば、チェーンに限らず、紐や樹脂性ロープを使用することもできる。
【００１１】
図１に示したように、押しボタンスイッチ８４を押すと、前記挿脱部材８２を引き抜いた場合と同様に、電子回路６とセラミック発音体７にて大音響を発生する。
また、点灯スイッチ８５を押すことによって内蔵された発光ダイオード８６（図２、５参照）が点灯する。この発光ダイオード５６を点灯させることによって、夜間の小さな照明や目印とすることができる。
【００１２】
次に、前記ストラップの取り付け位置と、前記スイッチ手段８の位置の好ましい位置関係を、図４を参照して説明する。
図４の（ａ）に示したように、前記ストラップの取り付け部３と、警報器１の重心Ｇとを結ぶ直線の延長線をＬとしたとき、前記スイッチ手段８の位置と前記重心Ｇとを結ぶ線（通常では、挿脱部材８２の軸方向）が前記延長線Ｌとなす角θは６０度以下が好ましく、できれば０度が最適である。または、挿脱部材８２の軸方向が、前記ストラップの取り付け部３と前記スイッチ手段８の位置とを結ぶ線方向に重なるか、それらのなす角が６０度以下となる状態が好ましい。
図４の（ｂ）に示したように、６０度を超えると、ストラップを片手で持って、他方の手で引手を引くときに、加えた力の一部しか引き抜くための力として作用しない。したがって、緊急事態が発生したときに確実に引き抜くことが困難になるという問題がある。
【００１３】
なお、前記筐体２の内部に緊急電波発信手段や、無線通信手段を備えてもよい。
また、図６に示したように、発行ダイオードや押しボタンスイッチを省いた別形状の警報器１１に、前記ストラップに代えて開閉可能なループ状のベルト４１を取り付けてもよい。この場合、前記ベルト４１を開いて腕や服のベルトなどに通して閉じることにより、携行しやすいという効果が得られる。
【００１４】
以上のような構成の警報器１を携行しておけば、塾帰りの子供や婦女子が危険に遭遇した場合でも、直ちに確実に大音響を発生させて緊急事態の発生を近隣に知らせることが可能となる。
【図面の簡単な説明】
【００１５】
【図１】本発明にかかる警報器の実施の形態の平面図である。
【図２】前記警報器の筐体を開いた状態の平面図である。
【図３】前記警報器のスイッチ手段の構造を示す断面図である。
【図４】挿脱部材の位置関係を説明する説明図である。
【図５】前記警報器の概略の回路構成図である。
【図６】別の実施形態の平面図である。
【符号の説明】
【００１６】
１  警報器
２  筐体
３  取り付け部材
４  ストラップ
５  駆動電源、ボタン電池
６  音響発生手段、電子回路
７  セラミック発音体
８  スイッチ手段
８１  接点部
８２  挿脱部材
８２１  引手
９      連結部材、チェーン
【図１】
2008226130.tif 000003
【図２】
2008226130.tif 000004
【図３】
2008226130.tif 000005
【図４】
2008226130.tif 000006
【図５】
2008226130.tif 000007
【図６】
2008226130.tif 000008